(57)【要約】【課題】音源ストリームの切り替え時のミュート区間を減らし、オーディオ信号のデコード情報を効率良く伝送する。【解決手段】音声デコード部１１は、音声ストリームが入力され、符号化方式に対応した復号化方式によりデコードを行い、例えば２４ビットのデジタルオーディオ信号であるＰＣＭ信号とデコード情報とを得る。ビット丸め処理部１２は、ＰＣＭ信号に対して、ビット数情報に従って下位ビットを切り捨てる丸め処理を行う。デコード情報変換部１３は、デコード情報に対して、ビット数情報に従って変換処理を行う。マルチプレクサ１４は、ビット丸め処理を行ったＰＣＭ信号を上位ビット信号とし、デコード情報変換部１３からの変換後のデコード情報を下位ビット信号とする２４ビットオーディオデータを含むＩ2Ｓフォーマットの信号を生成してポスト処理プロセッサ２０へ出力する。【選択図】図１
2012155233.tif 000002
【特許請求の範囲】
【請求項１】
符号化オーディオ信号をデコードして、第１のビット数のデジタルオーディオ信号と、デコード情報とを分離して出力するデコード手段と、
前記デジタルオーディオ信号の下位側の第２のビット数の信号を切り捨てるビット丸め処理手段と、
前記デコード情報を前記第２のビット数の変換後デコード情報に変換して出力するデコード情報変換手段と、
前記ビット丸め処理手段から出力される丸め処理されたデジタルオーディオ信号の下位ビット側に、前記デコード情報変換手段から出力される前記第２のビット数の変換後デコード情報を合成して、前記変換後デコード情報が下位ビットに埋め込まれた前記第１のビット数のデジタルオーディオ信号を生成して、ポスト処理を行うためのポスト処理プロセッサへ出力する合成手段と
を有することを特徴とする情報伝送装置。
【請求項２】
少なくとも前方の左右チャンネル及び後方チャンネルを含む複数チャンネルのオーディオ信号が符号化された符号化オーディオ信号をデコードして、第１のビット数の各チャンネルのデジタルオーディオ信号と、デコード情報とを分離して出力するデコード手段と、
前記各チャンネルのデジタルオーディオ信号のうち前記後方チャンネルのデジタルオーディオ信号の下位側の第２のビット数の信号を切り捨てるビット丸め処理手段と、
前記デコード情報を前記第２のビット数の変換後デコード情報に変換して出力するデコード情報変換手段と、
前記ビット丸め処理手段から出力される丸め処理された前記後方チャンネルのデジタルオーディオ信号の下位ビット側に、前記デコード情報変換手段から出力される前記第２のビット数の変換後デコード情報を合成して、前記変換後デコード情報が下位ビットに埋め込まれた前記第１のビット数の後方チャンネルのデジタルオーディオ信号を生成して、ポスト処理を行うためのポスト処理プロセッサへ出力する合成手段と
を有することを特徴とする情報伝送装置。
【請求項３】
前記デコード情報変換手段は、
一定周期で値が変化するカウンタ値を生成するカウント手段と、
予め定められた前記第２のビット数のシンクパターンを生成するシンクパターン発生手段と、
前記カウンタ値に応じて前記シンクパターン発生手段からの前記シンクパターンを選択した後、前記デコード手段から供給される複数のデコード内容を含む前記デコード情報から前記カウンタ値に応じて各デコード内容の前記第２のビット数のデコード情報を選択して、前記変換後デコード情報として出力する選択手段と
を有することを特徴とする請求項１又は２記載の情報伝送装置。
【請求項４】
前記ビット丸め処理手段及び前記デコード情報変換手段に対し、前記第２のビット数を指定するビット数情報を供給するホストプロセッサを備えることを特徴とする請求項１乃至３のうちいずれか一項記載の情報伝送装置。
【発明の詳細な説明】
【技術分野】
【０００１】
本発明は情報伝送装置に係り、特に符号化オーディオ信号をデコードして得たデコード情報を、復号したオーディオ信号と共に伝送する情報伝送装置に関する。
【背景技術】
【０００２】
従来のＤＶＤ(Digital Versatile Disc)プレーヤでは、ＤＶＤバックエンドと呼ばれる部分でオーディオ信号を所定の符号化方式（例えば、ドルビーデジタル(Dolby digital)やｄｔｓ(digital theater system)、ＡＡＣ(Advanced Audio Coding)など）で圧縮符号化して得られた符号化オーディオ信号をデコードし、パルス符号変調（ＰＣＭ:Pulse Code Modulation）信号とする。
【０００３】
また、ＤＶＤプレーヤでは、上記の符号化オーディオ信号のデコード処理に加えて、バーチャルサラウンド処理やヘッドホンサラウンド、低音増強等のポスト処理を追加する場合がある。この場合、デコードされたＰＣＭ信号はＩ2Ｓと呼ばれるフォーマットで後段に配置されたＤＳＰ(Digital Signal Processor)に送られてポスト処理が実施される（例えば、特許文献１参照）。
【０００４】
ここで、前段のデコード処理では、サンプリング周波数、デコーダタイプ、有効チャンネル数といった様々な音声情報がデコードされるが、これらのデコード情報は後段のＤＳＰでポスト処理する際に必要となる。例えば、サンプリング周波数によって、ポスト処理のフィルタ係数を切り替える必要がある。また、有効チャンネル数によってポスト処理が必要な場合と不要な場合を切り替える必要がある。
【０００５】
従来の情報伝送装置では、ホストプロセッサが前段のデコード情報を後段のポスト処理に伝える。例えば、ホストプロセッサが前段のデコーダに対し、定期的にデコード情報を取得し、音源ストリームの切り替えによるデコード情報の変化を監視する。上記のデコード情報の変化としては、例えばデコードタイプ（例えばドルビーデジタル／ｄｔｓ／ＡＡＣ／ｍｐ３等）、デコードチャンネル数と実際に出力されるチャンネル数（例えば、ｍｏｎｏ／２ｃｈ／５.１ｃｈ等）、デコード時のチャンネルコンフィグレーション（スピーカ配置）と出力されるチャンネルコンフィグレーション、デコードサンプル周波数と出力サンプル周波数、ストリームのビットレートその他がある。
【０００６】
そして、ホストプロセッサはデコード情報が変化したとき、後段のＤＳＰにそのデコード情報を通知する。ＤＳＰはこのデコード情報の通知により、デコード情報の変化に対応したポスト処理を行う（例えば、出力サンプル周波数が変化したことが通知された場合は、フィルタ係数を変更するなど）。
【先行技術文献】
【特許文献】
【０００７】
【特許文献１】特開２００２−９５１００号公報
【発明の概要】
【発明が解決しようとする課題】
【０００８】
上記の従来の情報伝送装置では、ホストプロセッサの仲介が入るために、デコード情報がＤＳＰに通知されるまでにタイムラグが生じる。例えば、音源ストリームの切り替えによりデコーダ情報が変化した時、デコードされた音声信号は即座に後段ＤＳＰに出力されるが、その出力時点では後段のＤＳＰはまだデコード情報の変化を受信していないために、デコード情報通知前のポスト処理を継続する。
【０００９】
このタイムラグのためにデコード情報が変化した瞬間にノイズが発生する。ノイズを抑えるために、後段のアナログミュートが用いられるが、タイムラグが長いと音源ストリームの切り替え時のミュート区間が長くなり、デコード情報の変化後の音の出だしが途切れる。
【００１０】
また、ホストプロセッサが常にデコード情報を定期的に取得する必要があるため、ホストプロセッサの負荷も大きくなる。必要なデコード情報が増えるにしたがって高性能なホストプロセッサが必要となる。
【００１１】
本発明は以上の点に鑑みなされたもので、音源ストリームの切り替え時のミュート区間を減らし、オーディオ信号のデコード情報を効率良く伝送できる情報伝送装置を提供することを目的とする。
【課題を解決するための手段】
【００１２】
上記の目的を達成するため、本発明の情報伝送装置は、符号化オーディオ信号をデコードして、第１のビット数のデジタルオーディオ信号と、デコード情報とを分離して出力するデコード手段と、デジタルオーディオ信号の下位側の第２のビット数の信号を切り捨てるビット丸め処理手段と、デコード情報を第２のビット数の変換後デコード情報に変換して出力するデコード情報変換手段と、ビット丸め処理手段から出力される丸め処理されたデジタルオーディオ信号の下位ビット側に、デコード情報変換手段から出力される第２のビット数の変換後デコード情報を合成して、変換後デコード情報が下位ビットに埋め込まれた第１のビット数のデジタルオーディオ信号を生成して、ポスト処理を行うためのポスト処理プロセッサへ出力する合成手段とを有することを特徴とする。
【００１３】
また、上記の目的を達成するため、本発明の情報伝送装置は、少なくとも前方の左右チャンネル及び後方チャンネルを含む複数チャンネルのオーディオ信号が符号化された符号化オーディオ信号をデコードして、第１のビット数の各チャンネルのデジタルオーディオ信号と、デコード情報とを分離して出力するデコード手段と、各チャンネルのデジタルオーディオ信号のうち後方チャンネルのデジタルオーディオ信号の下位側の第２のビット数の信号を切り捨てるビット丸め処理手段と、デコード情報を第２のビット数の変換後デコード情報に変換して出力するデコード情報変換手段と、ビット丸め処理手段から出力される丸め処理された後方チャンネルのデジタルオーディオ信号の下位ビット側に、デコード情報変換手段から出力される第２のビット数の変換後デコード情報を合成して、変換後デコード情報が下位ビットに埋め込まれた第１のビット数の後方チャンネルのデジタルオーディオ信号を生成して、ポスト処理を行うためのポスト処理プロセッサへ出力する合成手段とを有することを特徴とする。
【００１４】
また、上記の目的を達成するため、本発明の情報伝送装置は、デコード情報変換手段が、
一定周期で値が変化するカウンタ値を生成するカウント手段と、予め定められた第２のビット数のシンクパターンを生成するシンクパターン発生手段と、カウンタ値に応じてシンクパターン発生手段からのシンクパターンを選択した後、デコード手段から供給される複数のデコード内容を含むデコード情報からカウンタ値に応じて各デコード内容の第２のビット数のデコード情報を選択して、変換後デコード情報として出力する選択手段とを有することを特徴とする。
【００１５】
更に、上記の目的を達成するため、本発明の情報伝送装置は、ビット丸め処理手段及びデコード情報変換手段に対し、第２のビット数を指定するビット数情報を供給するホストプロセッサを備えることを特徴とする。
【発明の効果】
【００１６】
本発明によれば、デコード処理したデジタルオーディオデータにデコード情報を埋め込んでポスト処理プロセッサへ出力することで、デコード情報の効率の良い伝送ができ、音源ストリームの切り替え時のミュート区間を減らすことが可能となる。
【図面の簡単な説明】
【００１７】
【図１】本発明の情報伝送装置の一実施の形態のブロック図である。
【図２】公知のＩ2Ｓフォーマットを説明するタイミングチャートである。
【図３】図１中のビット丸め処理部の動作説明図である。
【図４】図１中のデコード情報変換部の一例のブロック図である。
【図５】デコード情報の各例の伝送フォーマットを示す図である。
【図６】Ｉ2Ｓ信号の下位４ビットをデコード情報として利用する場合の、カウンタ値と、デコード情報の内容と、値とを示すデコード情報の内容の一例を示す図である。
【図７】図１中のデコード情報分析部の一例のブロック図である。
【図８】本発明になる情報伝送装置の他の実施の形態のブロック図である。
【図９】図８におけるＩ2Ｓ信号のチャンネルアロケーションの一例を示す図である。
【発明を実施するための形態】
【００１８】
次に、本発明の実施の形態について図面を参照して説明する。
【００１９】
図１は、本発明になる情報伝送装置の一実施の形態のブロック図を示す。同図において、情報伝送装置１は、オーディオ信号再生装置を構成しており、音声ストリームが入力されるデコードプロセッサ１０と、デコードプロセッサ１０により音声ストリームをデコードして得られたＩ2Ｓ信号に対してポスト処理を行うポスト処理プロセッサ２０と、デコードプロセッサ１０及びポスト処理プロセッサ２０にそれぞれビット数情報を供給するホストプロセッサ３０と、ポスト処理プロセッサ２０から出力されたポスト処理後のデジタルオーディオ信号をアナログオーディオ信号に変換するＤ／Ａ変換部４１と、アンプ４２と、スピーカ４３とから構成される。
【００２０】
デコードプロセッサ１０は、音声デコード部１１、ビット丸め処理部１２、デコード情報変換部１３及びマルチプレクサ１４からなる。音声デコード部１１は、ドルビーデジタル、ｄｔｓ、あるいはＡＡＣなどの所定のフォーマットにより圧縮符号化されたデジタルオーディオデータが時系列的に合成された音声ストリームが入力され、符号化方式に対応した復号化方式により復号（デコード）を行い、例えば２４ビットのデジタルオーディオ信号であるＰＣＭ信号とデコード情報とを得る。
【００２１】
ビット丸め処理部１２は、音声デコード部１１から供給される２４ビットＰＣＭ信号に対して、ホストプロセッサ３０から指定されるビット数情報に従って後述のビット丸め処理を行い、ビット丸め処理を行ったＰＣＭ信号をマルチプレクサ１４に上位ビット信号として供給する。一方、デコード情報変換部１３は、音声デコード部１１から供給されるデコード情報に対して、ホストプロセッサ３０から指定されるビット数情報に従って変換処理を行い、変換後のデコード情報をマルチプレクサ１４に下位ビット情報として供給する。
【００２２】
マルチプレクサ１４は、ビット丸め処理部１２からのビット丸め処理を行ったＰＣＭ信号を上位ビット信号とし、デコード情報変換部１３からの変換後のデコード情報を下位ビット信号とする２４ビットオーディオデータを含むＩ2Ｓフォーマットの信号（以下、Ｉ2Ｓ信号という）を生成してポスト処理プロセッサ２０へ出力する。
【００２３】
ここで、Ｉ2Ｓフォーマットについて図２のタイミングチャートと共に説明する。Ｉ2Ｓフォーマットは公知のデジタルオーディオ信号伝送フォーマットであり、図２（Ａ）に示すＬＲＣＫと呼ばれるワードロックと、同図（Ｂ）に示すＢＣＫと呼ばれるビットクロックとを基準にしてデータを伝送する。通常、サンプリング周波数に２チャンネル伝送でき、左右チャンネルの区別はＬＲＣＫの‘Ｌ’レベルか‘Ｈ’レベルかで判断する。ＢＣＫは通常ＬＲＣＫの６４倍の周波数とすることで、１ｃｈあたり３２ビットのデータを伝送することが可能となる。図２（Ｃ）は３２ビットのデータＳＤＡＴＡ（Ｉ2Ｓ信号）を示す。図２（Ｃ）に示すデジタル信号ＳＤＡＴＡ（Ｉ2Ｓ信号）は、２４ビットのオーディオデータをＭＳＢを前詰めで伝送するときのフォーマットを示す。接続するデバイスによっては、伝送データを１ビット後ろにずらす場合もある。
【００２４】
さて、図２（Ｃ）に示すようにデジタル的には２４ビットのオーディオデータであっても、ＤＡコンバータ後のアナログ回路の性能が１６ビット程度しかない場合がある。すなわち、２４ビットのオーディオデータであれば１４０ｄＢ以上のＳＮ比が確保できるが、一般的なオーディオシステムのアナログ回路のＳＮ比は９０ｄＢ程度である。従って、２４ビットのオーディオデータのうちＬＳＢ側の数ビットを情報伝送用としても実用的に問題とならない。廉価なシステムでは、例えば２４ビットのオーディオデータのうち下位４ビットをデコード情報伝送用に割り当てても音質的には大きな問題とならない。
【００２５】
そこで、本実施の形態では、ビット丸め処理部１２により２４ビットのオーディオデータであるＰＣＭ信号のうち、ホストプロセッサ３０からのビット数情報が示すビット数分下位ビットを切り捨てると共に、デコード情報変換部１３によりそのビット数分の変換後のデコード情報をオーディオデータの下位ビットとして生成して、両者を合成する。
【００２６】
例えば、ホストプロセッサ３０からのビット数情報が４ビットの場合、ビット丸め処理部１２は、図３（Ａ）に模式的に示す２４ビットのオーディオデータ（ＰＣＭ信号）の下位４ビットを切り捨てる丸め処理を行い、これにより得られた図３（Ｂ）に模式的に示す上位２０ビットのオーディオデータを上位ビットの信号として出力する。一方、デコード情報変換部１３は、４ビットの変換後デコード情報を生成して、オーディオデータの下位ビットとして出力する。
【００２７】
マルチプレクサ１４は、図３（Ｃ）に模式的に示すように、丸め処理された２０ビットのオーディオデータ（ＰＣＭ信号）が上位ビット側に、かつ、４ビットの変換後デコード情報が下位ビット側にそれぞれ合成されて計２４ビットとされたデータを含む前記Ｓ2Ｉ信号を生成して出力する。つまり、図３（Ｃ）に模式的に示す２４ビットのオーディオデータは、下位４ビットに変換後デコード情報が埋め込まれたデータであり、Ｓ2Ｉ信号の信号形態で伝送される。ここで、ホストプロセッサ３０は、２４ビットオーディオデータの下位ビットに埋め込むデコード情報のビット数のみをデコードプロセッサ１０及びポスト処理プロセッサ２０に指定する。
【００２８】
次に、図１中のデコード情報変換部１３の構成及び動作について更に説明する。図４は、デコード情報変換部１３の一例のブロック図を示す。図４において、デコード情報変換部１３は、カウンタ１３１によりＩ2Ｓフォーマットで定められているワードクロックＬＲＣＫをカウントし、そのカウント値を転送情報選択部１３３に供給し、そのカウンタ値に応じてシンクパターン発生部１３２からのシンクパターン及びデコード情報の一方を選択させる構成である。ここで、転送情報選択部１３３は、カウント値が“０”のときはシンクパターン発生部１３２にて発生されたシンクパターンを選択し、それ以外のカウント値のときは、後述するようにデコード情報のうちカウンタ値に応じた所定のデコード情報を選択することで、変換後デコード情報を生成して出力する。デコード情報変換部１３は、ホストプロセッサ３０から指定されるビット数情報に応じて、シンクパターンのビット数、デコード情報のビット数が変更できる。
【００２９】
図５は、Ｉ2Ｓ信号にのせるデコード情報の伝送フォーマットの各例を示す。図５（Ａ）は、Ｉ2Ｓ信号の下位４ビットにデコード情報をのせる場合のカウンタ１３１のカウンタ値と、ワードロックＬＲＣＫと、下位４ビットの変換後デコード情報との関係を示す。図５（Ａ）に示すように、この例ではワードロックＬＲＣＫ（サンプリング）１周期分に左右２チャンネルの８ビット（１バイト）伝送できる。変換後のデコード情報は１バイト単位で扱うものとする。
【００３０】
まず、特定のシンクパターン（０ｘＦＦ）を検出し、変換後のデコード情報はシンクパターンに続くデータをそれぞれ図５（Ａ）に示すように、有効データバイト数（ｎ）、デコーダタイプ番号、サンプリング周波数番号、有効チャンネルアロケーションの順とし、最後のバイトは伝送エラーを防止するためにチェックサム(check sum)をつける。ただし、シンクパターン以外で０ｘＦＦのパターンがあってはいけないので、チェックサムの最上位ビットはチェックサムの照合時には無視される。
【００３１】
図５（Ｂ）は、Ｉ2Ｓ信号の下位２ビットにデコード情報をのせる場合のカウンタ１３１のカウンタ値と、ワードロックＬＲＣＫと、下位２ビットの変換後デコード情報との関係を示す。図５（Ｂ）に示すように、この例は基本的には下位４ビットに変換後デコード情報をのせる場合と同じであるが、ワードロックＬＲＣＫ（サンプリング）２周期分でデコード情報１バイト分として扱う点だけが下位４ビットにデコード情報をのせる場合と異なる。
【００３２】
図６は、Ｉ2Ｓ信号の下位４ビットをデコード情報として利用する場合の、ＬＲＣＫカウンタ値と、デコード情報の内容と、値とを示す。図６に示すように、カウンタ値が“０”のときはシンクパターン、“１”のときは有効データバイト(byte)数、“２”のときはデコードタイプ番号、“３”のときはサンプリング周波数番号、“４”のときは有効チャンネルアロケーション、“ｎ”のときはチェックサムを示す。実際に送られるデコーダ情報は、図６に示すように、シンクパターン（０ｘＦＦ）と重ならないようにデコード値が選択されている。可能なチャンネル数が８チャンネル以上の場合、有効チャンネルアロケーションのパターンが２バイト必要なのはこのためである。
【００３３】
再び図１に戻って説明する。ホスト処理プロセッサ２０は、デ・マルチプレクサ２１、デコード情報分析部２２、音声ポスト処理部２３から構成される。デ・マルチプレクサ２１は、供給されるＩ2Ｓ信号を、ホストプロセッサ３０から指定されるビット数に応じて、上位ビット側のＰＣＭ信号と、下位ビット側の変換後デコード情報とに分離する。このとき、デコード情報を取り除いた後のＰＣＭ信号の下位ビットには零を設定するとよい。これにより、デコード情報が特定のビットパターンを繰り返す場合に、規則的なノイズがＰＣＭ信号に混入することを避けることができる。また、音声ポスト処理部で疑似的にランダムなビットパターンを発生させ、疑似乱数をＰＣＭ信号の下位ビットに設定することも可能である。このようにすればディザ効果により聴感上のＳ／Ｎ比が向上する。
【００３４】
デコード情報分析部２２は、デ・マルチプレクサ１４により分離された変換後デコード情報が供給され、ホストプロセッサ３０から指定されるビット数に応じて、ポスト処理に必要な情報を復元・抽出し、音声ポスト処理部２３のパラメータとして出力する。音声ポスト処理部２３は、デコード情報分析部２２からのポスト処理に必要なパラメータに応じて、デ・マルチプレクサ１４により分離されたＰＣＭ信号のイコライジング処理、バーチャルサラウンド処理、バスマネージメント処理等を実行し、得られたポスト処理後のＰＣＭ信号を生成し、Ｄ／Ａ変換部４１に供給する。
【００３５】
次に、図１中のデコード情報分析部２２の構成及び動作について更に説明する。図７は、デコード情報分析部２２の一例のブロック図を示す。図７に示すように、デコード情報分析部２２は、カウンタ２２１、シンクパターン検出部２２２及び転送情報選択部２２３からなり、デコード情報変換部１３と逆の動作を行う。
【００３６】
デコード情報分析部２２は、シンクパターン検出部２２２により変換後デコード情報中のシンクパターンを検出し、その検出信号をカウンタ２２１に供給する。カウンタ２２１は、シンクパターン検出部２２２からシンクパターンの検出信号が供給されると、ワードクロックＬＲＣＫのカウントを開始し、そのカウンタ値を転送情報選択部２２３に供給する。転送情報選択部２２３は、カウンタ値に応じた変換後デコード情報を選択し、ホスト処理用のパラメータとして出力する。デコード情報分析部２２もデコード情報変換部１３と同様に、シンクパターンのビット数、変換後デコード情報のビット数がホストプロセッサ３０からのビット数情報に応じたビット数に変更できるものとする。
【００３７】
再び図１に戻って説明する。Ｄ／Ａ変換部４１は、音声ポスト処理部２３によりポスト処理されたＰＣＭ信号をアナログ信号であるオーディオ信号に変換し、さらにそのオーディオ信号をアンプ４２により所要レベルに増幅させた後、スピーカ４３により電気−音響変換させて音声として出力させる。
【００３８】
このように、本実施の形態によれば、オーディオデータ（ＰＣＭ信号）の所定ビット数の下位ビットを切り捨てる丸め処理を行い、丸め処理したオーディオデータの下位ビットに変換後デコード情報が埋め込まれたオーディオデータを生成してポスト処理プロセッサ２０に伝送するようにしたため、デコードプロセッサ１０とポスト処理プロセッサ２０との間で遅延が少ない（つまり、効率の良い）デコード情報の伝送ができ、音源ストリームの切り替え時のミュート区間を減らすことが可能となる。また、本実施の形態によれば、ホストプロセッサ３０の仲介が不要となるため、ホストプロセッサ３０の処理負荷を減らすこともできる。
【００３９】
次に、本発明の他の実施の形態について説明する。
【００４０】
上記の実施の形態では、デコーダプロセッサ１０とポスト処理プロセッサ２０との間が一経路のＩ２Ｓ信号で接続されている。しかし、ドルビーデジタル等の符号化方式の符号化オーディオ信号を復号する通常のオーディオデコーダでは、６ｃｈ以上のデータを伝送する必要がある。このため、図８に示すように、デコーダプロセッサとホスト処理プロセッサとの間が３〜４経路のＩ2Ｓ信号で接続されるのが通常であり、本発明はこのような場合にも適用できる。
【００４１】
図８は、本発明になる情報伝送装置の他の実施の形態のブロック図を示す。本実施の形態の情報伝送装置５０は、デコーダプロセッサ５１により４種類のＩ2Ｓ信号I2S_0，I2S_1，I2S_2，I2S_3を生成して、並列にホスト処理プロセッサ５２に供給する構成である。
【００４２】
図９は、図８におけるＩ2Ｓ信号のチャンネルアロケーションの一例を示す。図９に示すように、I2S_0は、左チャンネル(Left)と右チャンネル(Right)のオーディオ信号を伝送するＩ２Ｓ信号、I2S_1は、中央チャンネル(Center)とサブウーファチャンネル(Subwoofer)のオーディオ信号を伝送するＩ2Ｓ信号、I2S_2は、左サラウンドチャンネル(Left surround)と右サラウンドチャンネル(Right surround)のオーディオ信号を伝送するＩ2Ｓ信号、I2S_3は、左後サラウンドチャンネル(Left back surround)と右後サラウンドチャンネル(Right back surround)のオーディオ信号を伝送するＩ2Ｓ信号である。
【００４３】
これらのオーディオ信号のうち所定のチャンネルのオーディオ信号は、例えば２４ビットの下位の所定ビットが切り捨てられ、その下位ビットにデコーダ情報が埋め込まれて上記のＩ2Ｓ信号I2S_0，I2S_1，I2S_2，I2S_3とされてポスト処理プロセッサ５２に伝送される。
【００４４】
ここで、左右チャンネルやセンター／サブウーハチャンネルにデコード情報を載せると、ＰＣＭ信号のビット落ちによる音質の劣化の影響が大きいと考えられる。そこで、デコード情報の伝送は音質劣化の影響が少ないチャンネル（例えば、左後サラウンドチャンネル、右後サラウンドチャンネル）のＩ2Ｓ経路を選択することで音質の劣化を極力避けることも可能である。
【００４５】
左後サラウンドチャンネル及び右後サラウンドチャンネルのような後方チャンネルの音は、前方のチャンネルの音に対する人間の聴覚の感度ほど高くないため、音質劣化の影響が少ないチャンネルといえる。また、一般的な５.１チャンネルのオーディオ信号では、左チャンネル、中央チャンネル、右チャンネルのオーディオ信号パワーが、サラウンドチャンネルのオーディオ信号のパワーよりも相対的に大きい。すなわち、前方チャンネルの音は常に存在しているのに対し、後方チャンネルの音は音響効果が大きいシーンでのみ存在する。このことからも後方チャンネルは品質劣化の影響が少ないチャンネルといえる。
【００４６】
本実施の形態によれば、後方チャンネルのオーディオデータ（ＰＣＭ信号）の所定ビット数の下位ビットを切り捨てる丸め処理を行い、丸め処理した後方チャンネルのオーディオデータの下位ビットに変換後デコード情報が埋め込まれたオーディオデータを生成してポスト処理プロセッサ５２に伝送するようにしたため、デコードプロセッサ５１とポスト処理プロセッサ５２との間で遅延が少ないデコード情報の伝送ができ、音源ストリームの切り替え時のミュート区間を減らすことが可能となる。
【符号の説明】
【００４７】
１  情報伝送装置
１１  音声デコード部
１２  ビット丸め処理部
１３  デコード情報変換部
１４  マルチプレクサ
２０  ポスト処理プロセッサ
２１  デ・マルチプレクサ
２２  デコード情報分析部
２３  音声ポスト処理部
３０  ホストプロセッサ
４１  Ｄ／Ａ変換部
４２  アンプ
４３  スピーカ
１３１、２２１  カウンタ
１３２  シンクパターン発生部
１３３、２２３  転送情報選択部
２２２  シンクパターン検出部
【図１】
2012155233.tif 000003
【図２】
2012155233.tif 000004
【図４】
2012155233.tif 000005
【図５】
2012155233.tif 000006
【図６】
2012155233.tif 000007
【図７】
2012155233.tif 000008
【図８】
2012155233.tif 000009
【図９】
2012155233.tif 000010
【図３】
2012155233.tif 000011